(57)【要約】【課題】セキュリティタグの取出しを防止し得るカートリッジケースを提供する。【解決手段】浅皿状にそれぞれ形成された下ケース１１および上ケース１２が嵌合されて略扁平立方体に形成されたケース本体２と、ケース本体２内に回転可能に収容された単一のテープリール３と、セキュリティタグ９と、セキュリティタグ９を収容する収納容器１０とを備え、セキュリティタグ９は、収納容器１０によって覆われて収納された状態でケース本体２内の四隅のうちの一隅Ｃ１に固定されている。【選択図】図１
2008090942.tif 000002
【特許請求の範囲】
【請求項１】
浅皿状にそれぞれ形成された下ケースおよび上ケースが嵌合されて略扁平立方体に形成されたケース本体と、
前記ケース本体内に回転可能に収容された単一のテープリールと、
セキュリティタグと、
前記セキュリティタグを収容する収納容器とを備え、
前記セキュリティタグは、前記収納容器によって覆われて収納された状態で前記ケース本体内の四隅のうちの一隅に固定されているカートリッジケース。
【請求項２】
前記ケース本体の前記一隅を形成する前記下ケースおよび前記上ケースのうちのいずれか一方のケースの主壁内面に柱状突起が形成され、
前記収納容器は、前記セキュリティタグを収納する有底の筒体と、当該筒体の側壁に突設されると共に貫通孔が形成された鍔体とを備え、当該貫通孔に前記柱状突起が挿通されると共に前記いずれか一方のケースの主壁内面に前記筒体の開口縁が当接する状態で、当該貫通孔から突出する当該柱状突起にプッシュナットが装着されて固定されている請求項１記載のカートリッジケース。
【請求項３】
前記ケース本体の前記一隅を形成する前記下ケースおよび前記上ケースのうちのいずれか一方のケースの主壁内面に柱状突起が形成され、
前記収納容器は、前記セキュリティタグを収納する有底の筒体と、当該筒体の側壁に突設されると共に貫通孔が形成された鍔体とを備え、当該貫通孔に前記柱状突起が挿通されると共に前記いずれか一方のケースの主壁内面に前記筒体の開口縁が当接する状態で、当該貫通孔から突出する当該柱状突起の先端部位が溶融によって拡径されて固定されている請求項１記載のカートリッジケース。
【請求項４】
前記収納容器は、樹脂材料で形成されると共に、前記ケース本体の前記一隅を形成する前記下ケースおよび前記上ケースのうちのいずれか一方のケースの主壁内面に前記筒体の開口縁が当接する状態で超音波溶着によって当該一方のケースの主壁内面に固定されている請求項１記載のカートリッジケース。
【請求項５】
前記収納容器は不透明に形成されている請求項１から４のいずれかに記載のカートリッジケース。
【請求項６】
請求項１から５のいずれかに記載のカートリッジケースを備えている情報記録媒体。
【発明の詳細な説明】
【技術分野】
【０００１】
本発明は、略扁平立方体のケース本体、単一のテープリールおよびセキュリティタグを備えたカートリッジケース、およびそのカートリッジケースを備えた情報記録媒体に関するものである。
【背景技術】
【０００２】
この種の情報記録媒体として、特許第３６０５１０６号公報に開示されたテープカートリッジが知られている。このテープカートリッジは、サーバ又はワークステーション用テープドライブ装置に装着可能な扁平立方体のテープカートリッジであって、フィルム状のセキュリティタグおよびテープ識別タグ（識別タグともいう）を備えている。このテープカートリッジでは、セキュリティタグが、扁平立方体のテープカートリッジの四隅のうちの一隅に形成された三角形の空間内に配置され、かつ識別タグが、セキュリティタグの配置された隅に対して対角に位置する隅に配置されている。
【０００３】
この場合、識別タグは、メモリを備え、テープカートリッジの製造情報（識別情報）および使用履歴情報などの管理情報が記憶可能に構成されている。一方、セキュリティタグは、特定周波数の電波を受信するダイポールアンテナ、ダイポールアンテナで受信された電波の周波数を逓倍するダイオード、およびダイポールアンテナと給電部を共有しダイオードによって逓倍された周波数の電波を送信するループアンテナを備え、このセキュリティタグが内蔵されたテープカートリッジが予め定められた検査領域内に置かれたときにこの検査領域内にあることを外部に通知可能に構成されている。
【０００４】
このテープカートリッジによれば、セキュリティタグを内蔵することにより所定のセキュリティエリアからの搬出を監視することが可能となる。また、セキュリティタグについては、識別タグが配置された隅に対して対角に位置する隅に配置されているため、電磁的識別情報を発生する識別タグから最も遠い位置、つまり最適な位置に配置させることができる。
【特許文献１】特許第３６０５１０６号公報（第３−４頁、第３図）
【発明の開示】
【発明が解決しようとする課題】
【０００５】
ところが、従来のテープカートリッジには、以下の問題点がある。すなわち、この種のテープカートリッジでは、テープカートリッジの一隅に形成された三角形の空間内にセキュリティタグがそのままの状態（裸の状態）で、しかも固定されずに配置されている。したがって、このテープカートリッジには、セキュリティタグが配置されたテープカートリッジの一隅を破壊して孔を開けることにより、セキュリティタグをテープカートリッジから取り出すことができるため、盗難に遭うおそれがあるという課題が存在している。
【０００６】
本発明は、かかる課題を解決すべくなされたものであり、セキュリティタグの取出しを防止し得るカートリッジケースおよび情報記録媒体を提供することを主目的とする。
【課題を解決するための手段】
【０００７】
上記目的を達成すべく本発明に係るカートリッジケースは、浅皿状にそれぞれ形成された下ケースおよび上ケースが嵌合されて略扁平立方体に形成されたケース本体と、前記ケース本体内に回転可能に収容された単一のテープリールと、セキュリティタグと、前記セキュリティタグを収容する収納容器とを備え、前記セキュリティタグは、前記収納容器によって覆われて収納された状態で前記ケース本体内の四隅のうちの一隅に固定されている。
【０００８】
また、本発明に係るカートリッジケースは、前記ケース本体の前記一隅を形成する前記下ケースおよび前記上ケースのうちのいずれか一方のケースの主壁内面に柱状突起が形成され、前記収納容器は、前記セキュリティタグを収納する有底の筒体と、当該筒体の側壁に突設されると共に貫通孔が形成された鍔体とを備え、当該貫通孔に前記柱状突起が挿通されると共に前記いずれか一方のケースの主壁内面に前記筒体の開口縁が当接する（伏せられた）状態で、当該貫通孔から突出する当該柱状突起にプッシュナットが装着されて固定されている。
【０００９】
また、本発明に係るカートリッジケースは、前記ケース本体の前記一隅を形成する前記下ケースおよび前記上ケースのうちのいずれか一方のケースの主壁内面に柱状突起が形成され、前記収納容器は、前記セキュリティタグを収納する有底の筒体と、当該筒体の側壁に突設されると共に貫通孔が形成された鍔体とを備え、当該貫通孔に前記柱状突起が挿通されると共に前記いずれか一方のケースの主壁内面に前記筒体の開口縁が当接する状態で、当該貫通孔から突出する当該柱状突起の先端部位が溶融によって拡径されて固定されている。
【００１０】
また、本発明に係るカートリッジケースは、前記収納容器は、樹脂材料で形成されると共に、前記ケース本体の前記一隅を形成する前記下ケースおよび前記上ケースのうちのいずれか一方のケースの主壁内面に前記筒体の開口縁が当接する状態で超音波溶着によって当該一方のケースの主壁内面に固定されている。
【００１１】
また、本発明に係るカートリッジケースは、前記収納容器は不透明に形成されている。
【００１２】
また、本発明に係る情報記録媒体は、上記したいずれかのカートリッジケースを備えている。
【発明の効果】
【００１３】
本発明に係るカートリッジケースおよび情報記録媒体によれば、セキュリティタグが収納容器によって覆われて収納された状態でケース本体内の四隅のうちの一隅に固定されているため、この一隅を破壊して孔を開けたとしても、セキュリティタグのケース本体からの取り出しを防止できるため、盗難に遭うおそれを大幅に低減することができる。
【００１４】
また、本発明に係るカートリッジケースおよび情報記録媒体によれば、下ケースの主壁の内面に柱状突起を形成すると共に、筒体と、貫通孔が形成された鍔体とを備えて収納容器を形成し、筒体内にセキュリティタグを収納した状態で、貫通孔に柱状突起を挿通すると共に下ケースの主壁の内面に筒体の開口縁が当接する状態となるように筒体を伏せて配置し、貫通孔から突出する柱状突起にプッシュナットを装着して収納容器を下ケースに固定したことにより、筒体でセキュリティタグを完全に覆いつつ、プッシュナットを用いて収納容器をケース本体内の一隅に簡単かつ確実に固定することができる。また、プッシュナットは内周面に形成された複数の爪による抜け止め機構を備えているため、プッシュナットの使用により、セキュリティタグの取外しを確実に防止することができ、ひいては情報記録媒体の盗難を一層低減することができる。
【００１５】
また、本発明に係るカートリッジケースおよび情報記録媒体によれば、下ケースの主壁の内面に柱状突起を形成すると共に、筒体と、貫通孔が形成された鍔体とを備えて収納容器を形成し、筒体内にセキュリティタグを収納した状態で、貫通孔に柱状突起を挿通すると共に下ケースの主壁の内面に筒体の開口縁が当接する状態となるように筒体を伏せて配置し、貫通孔から突出する柱状突起の先端部位を電気こてなどで溶融して貫通孔の直径よりも拡径させて（つまり熱かしめで）収納容器を下ケースに固定したことにより、プッシュナットを使用する構成と比較して部品点数を削減しつつ、筒体でセキュリティタグを完全に覆った状態で、収納容器をケース本体内の一隅に簡単かつ確実に固定することができる。したがって、セキュリティタグの取外しを確実に防止することができ、ひいては情報記録媒体の盗難を一層低減することができる。
【００１６】
さらに、本発明に係るカートリッジケースおよび情報記録媒体によれば、ケース本体の一隅を形成する下ケースおよび上ケースのうちのいずれか一方のケースの主壁内面に筒体の開口縁が当接する状態で収納容器を超音波溶着によって固定したことにより、柱状突起や突出部の形成を不要にできるため、下ケースおよび上ケースを簡易に構成することができる。また、鍔体の形成が不要な分だけ収納容器を収納容器よりも簡易に構成することができる。したがって、ケース本体の製造コストおよび収納容器の製造コストを低減することができる。また、セキュリティタグを収納する収納容器自体を、下ケースおよび上ケースのいずれかに直接的に接合できるため、ケース本体からのセキュリティタグの取り出しをより一層確実に防止することができる。
【００１７】
さらに、本発明に係るカートリッジケースおよび情報記録媒体によれば、収納容器を不透明に形成したことにより、セキュリティタグを収納容器で覆い隠すことができる。
【発明を実施するための最良の形態】
【００１８】
以下、本発明に係るカートリッジケースおよび情報記録媒体の最良の形態について、添付図面を参照して説明する。
【００１９】
最初に、テープカートリッジ１（本発明に係る情報記録媒体の一例）の構成について、図面を参照して説明する。
【００２０】
図１に示すテープカートリッジ１は、例えば、電子計算機に記録された記録データをバックアップするためのストレージデバイスとして使用されるＬＴＯ（Linear Tape Open）規格に準拠した１リール（単一リール）タイプのカートリッジ式の情報記録媒体であって、同図に示すように、ケース本体２、テープリール３、ブレーキ解除板４、ロック部材５、スプリング６、ドア部材７、識別タグ８、セキュリティタグ９、収納容器１０および誤消去防止用プラグ３１を備えて構成され、テープリール３には、図外の磁気テープが巻回される。この場合、磁気テープを除く各構成要素によって本発明に係るカートリッジケースが構成される。
【００２１】
ケース本体２は、図１に示すように、それぞれ平面視正方形の浅皿状に合成樹脂材料を用いて形成されて互いに嵌合可能な下ケース１１および上ケース１２を備えている。また、ケース本体２は、これらの下ケース１１および上ケース１２が互いに嵌合されることにより、外形が略扁平立方体に形成されて、両ケース１１，１２間に形成される内部空間にテープリール３を回転可能に収容する。
【００２２】
この場合、下ケース１１は、図１，２に示すように、主壁１１ａ、および４つの側壁１１ｂ，１１ｃ，１１ｄ，１１ｅを備えている。また、１つの側壁１１ｂには、テープリール３に巻回された磁気テープを外部に引き出すためのテープ引き出し口２ａを構成する切り欠き１１ｆが形成されている。また、主壁１１ａの四隅のうちの切り欠き１１ｆの近傍の隅を除く他の３つの隅には、３つの弧状の壁部（以下、「弧状壁」ともいう）１１ｇ，１１ｈ，１１ｉが立設されている。弧状壁１１ｇ，１１ｈ，１１ｉの各々の両端は、それぞれに近接する２つの側壁１１ｂ，１１ｃ、側壁１１ｃ，１１ｄ、側壁１１ｄ，１１ｅにそれぞれ連結されている。これにより、下ケース１１の四隅のうちの切り欠き１１ｆの近傍の隅を除く他の３つの隅には、２つの側壁と１つの弧状壁とで囲まれた平面視形状がほぼ三角形の区画領域Ａ１，Ａ２，Ａ３がそれぞれ形成されている。また、各側壁１１ｂ，１１ｃ，１１ｄ，１１ｅおよび各弧状壁１１ｇ，１１ｈ，１１ｉで囲まれた下ケース１１の中央領域Ａ４には、テープリール３が収納される。
【００２３】
また、区画領域Ａ３には、図２に示すように、収納容器１０を固定するための柱状突起３２が、主壁１１ａの内面に形成されている。一例として、本例では、図５に示すように、主壁１１ａの内面に、柱状突起３２よりも大径な（太い）突出部（隆起部）３３が形成され、その先端面（後述する上ケース１２の主壁１２ａと対向する面）のほぼ中央部位に柱状突起３２が主壁１２ａに向けて突出して形成されている。なお、本例では、同図に示すように、突出部３３を筒状に形成している。なお、この筒状の突出部３３によって主壁１１ａの表面に穴部が形成されるが、この穴部は、テープカートリッジ１をドライブ装置に装填した際にドライブ装置のガイドピンが入り込むことにより、位置決め穴として機能する。
【００２４】
一方、図１，３に示すように、上ケース１２は、主壁１２ａ、および４つの側壁１２ｂ，１２ｃ，１２ｄ，１２ｅを備えている。また、１つの側壁１２ｂには、テープ引き出し口２ａを構成する切り欠き１２ｆが形成されている。また、主壁１２ａの四隅のうちの切り欠き１２ｆの近傍の隅を除く他の３つの隅には、３つの弧状の壁部（以下、「弧状壁」ともいう）１２ｇ，１２ｈ，１２ｉが立設されている。弧状壁１２ｇ，１２ｈ，１２ｉの各々の両端は、それぞれに近接する２つの側壁１２ｂ，１２ｃ、側壁１２ｃ，１２ｄ、側壁１２ｄ，１２ｅにそれぞれ連結されている。これにより、上ケース１２の四隅のうちの切り欠き１２ｆの近傍の隅を除く他の３つの隅には、下ケース１１と同様にして、２つの側壁と１つの弧状壁とで囲まれた平面視形状がほぼ三角形の区画領域Ｂ１，Ｂ２，Ｂ３がそれぞれ形成されている。また、各側壁１２ｂ，１２ｃ，１２ｄ，１２ｅおよび各弧状壁１２ｇ，１２ｈ，１２ｉで囲まれた上ケース１２の中央領域Ｂ４には、テープリール３が収納される。
【００２５】
また、下ケース１１の側壁１１ｃと上ケース１２の側壁１２ｃとは、ケース本体２の後面壁（テープカートリッジ１の挿入方向における後方側の壁面）を構成し、それぞれの表面はラベル（インデックスラベル）貼付面として機能する。
【００２６】
テープリール３は、図１に示すように、ハブ２１、下フランジ２２、上フランジ２３および金属板２４を備えて構成されている。ハブ２１は、上端部側が開口し、下端部側が閉塞する有底円筒状に形成されている。下フランジ２２はハブ２１の下端部に一体的に形成され、上フランジ２３はハブ２１の上端部に取り付けられている。金属板２４は、円板状に形成されて、ハブ２１の下端面に取り付けられている。以上のように構成されたテープリール３は、両フランジ２２，２３で挟まれたハブ２１の外周面に磁気テープ（図示せず）を巻回可能に構成されている。
【００２７】
スプリング６は、図１に示すように、コイルスプリングで構成されると共に、上ケース１２とロック部材５との間に配設されて、テープリール３側に向けてロック部材５を付勢する。ドア部材７は、同図に示すように、テープ引き出し口２ａを閉塞可能な薄板状に形成されて、下ケース１１の側壁１１ｂおよび上ケース１２の側壁１２ｂにそれぞれ形成された案内溝（図示せず）にスライド可能に収納される。
【００２８】
識別タグ８は、メモリ、メモリ制御回路、通信回路およびアンテナ（いずれも図示せず）とを備えている。この場合、アンテナは特定周波数（第１周波数）の電波を送受信可能に構成され、通信回路はアンテナを介して受信した情報をメモリ制御回路に出力すると共に、メモリ制御回路から入力した情報をアンテナを介して送信可能に構成されている。メモリ制御回路は、通信回路から入力した情報をメモリに記憶させると共に、メモリから読み出した情報を通信回路に出力する。このように構成された識別タグ８は、テープカートリッジ１の製造情報（識別情報）、使用履歴情報、および磁気テープ上のパーテーション情報などを管理情報として記憶する。この識別タグ８は、図１，２に示すように、下ケース１１の区画領域Ａ１内に配設されている（取り付けられている）。
【００２９】
セキュリティタグ９は、一例として、図１，５に示すように、両端部にフランジが形成された円柱状の磁性コア９ａと、磁性コア９ａにおける各フランジで挟まれた外周面に線材を巻回して形成されたコイル９ｂとを備えている。なお、セキュリティタグは、この構成（コイル式）のもの以外に、平面アンテナが一体的に形成された弾性フィルム体、裏板、およびダイオードなどを備えたフィルム式のものも存在しており、この種のセキュリティタグを本願のセキュリティタグ９として使用してもよいのは勿論である。また、セキュリティタグ９は、このセキュリティタグ９を内蔵するテープカートリッジ１を予め定められた検査領域内から外部に持ち出そうとして、この検査領域の出入り口の両脇に配設された発振アンテナ（特定周波数（第１周波数とは異なる第２周波数））および受信アンテナ（いずれも図示せず）間をテープカートリッジ１が通過したときに、いわゆるアコーストマグネチック方式により、テープカートリッジ１の通過を検出して外部に通知する。
【００３０】
収納容器１０は、図１，５に示すように、樹脂成形によって一体的に形成された筒体１０ａおよび鍔体１０ｂを備えて構成されている。この場合、使用する樹脂材料としては、収納されているセキュリティタグ９を収納容器１０で覆い隠すことができるように、不透明な材料を使用するのが好ましい。また、ケース本体２は、通常、不透明な樹脂材料で形成されている。このため、収納容器１０もケース本体２と同じ樹脂材料で形成することにより、セキュリティタグ９を収納容器１０で覆い隠しつつ、収納容器１０の存在を目立ち難く構成することができる。
【００３１】
具体的には、筒体１０ａは、一例として有底の四角筒体として形成されて、セキュリティタグ９を内部に収納可能に構成されている。本例では、筒体１０ａは、図５に示すように、その奥行き（深さ）がセキュリティタグ９の長さに合わせて設定されている。なお、筒体１０ａの平面形状は、四角形に限定されるものではなく、三角形や五角形等の他の多角形であってもよいし、円形や楕円形であってもよい。鍔体１０ｂは、筒体１０ａの一の側壁に、筒体１０ａの開口縁を含む仮想平面と平行な平面内において突設されている。また、筒体１０ａの開口縁から鍔体１０ｂまでの距離は、突出部３３の突出長（主壁１１ａの内面からの高さ）と一致するように設定されている。また、鍔体１０ｂには、内径が柱状突起３２の直径よりも若干大径な貫通孔１０ｃが１つ形成されている。
【００３２】
以上のような構成を備えた収納容器１０は、筒体１０ａ内にセキュリティタグ９が収納された後に、図５に示すように、柱状突起３２が貫通孔１０ｃに挿通されると共に、筒体１０ａの開口縁が下ケース１１の主壁１１ａの内面に当接し、かつ一の側壁（鍔体１０ｂが形成された側壁と対向する側壁）が、側壁１１ｅに形成されたＶノッチ部３４と接触した状態（図４参照）で区画領域Ａ３に配置されている。この場合、上記したように、筒体１０ａは、その奥行き（深さ）がセキュリティタグ９の長さに合わせて設定されているため、その開口縁全体が下ケース１１の主壁１１ａの内面と接触（当接）した状態となっている。したがって、セキュリティタグ９は、筒体１０ａによって完全に覆われた状態となっている。また、収納容器１０は、同図に示すように、貫通孔１０ｃから突出する柱状突起３２に金属製のプッシュナット３５が装着されることにより、プッシュナット３５と突出部３３とで鍔体１０ｂが挟持されて、下ケース１１に固定されている。これにより、収納容器１０は、上ケース１２側への移動が規制されている。また、上記したように、筒体１０ａの一の側壁（図４中の左上側の側壁）がＶノッチ部３４と接触しているため、収納容器１０は、柱状突起３２を中心とした回動についても規制された状態となっている。したがって、セキュリティタグ９は、ケース本体２内の四隅のうちの一隅Ｃ１（図１参照）、具体的には、ケース本体２における下ケース１１の区画領域Ａ３と上ケース１２の区画領域Ｂ３とで構成される空間である一隅Ｃ１に、収納容器１０に収納され、かつ収納容器１０で覆われた状態で、しかも収納容器１０内でがたつかない状態で固定される。なお、収納容器１０の回動を規制する構成としては、図４に示すように、弧状壁１１ｉと収納容器１０の側壁との間に位置するように、弧状壁１１ｉまたは主壁１１ａの内面に回転防止リブ３６を形成する構成や、鍔体１０ｂを貫通する回転防止ピン３７を主壁１１ａの内面に突設する構成を採用することもできる。
【００３３】
誤消去防止用プラグ３１は、情報記録媒体１に記録されているデータの誤消去を防止するために用いられ、ケース本体２における下ケース１１の区画領域Ａ２と上ケース１２の区画領域Ｂ２とで構成される空間内に配設されている。また、誤消去防止用プラグ３１は、この空間内において、下ケース１１の側壁１１ｃおよび上ケース１２の側壁１２ｃに沿って、消去許容位置と消去禁止位置との間でスライド可能に構成されている。
【００３４】
このように、このカートリッジケースおよびテープカートリッジ１によれば、セキュリティタグ９が収納容器１０によって覆われて収納された状態でケース本体２内の四隅のうちの一隅Ｃ１に固定されているため、この一隅Ｃ１を破壊して孔を開けたとしても、セキュリティタグ９のケース本体２からの取り出しを防止できるため、盗難に遭うおそれを大幅に低減することができる。
【００３５】
また、このカートリッジケースおよびテープカートリッジ１によれば、下ケース１１の主壁１１ａの内面に柱状突起３２を形成すると共に、筒体１０ａと、貫通孔１０ｃが形成された鍔体１０ｂとを備えて収納容器１０を形成し、筒体１０ａ内にセキュリティタグ９を収納した状態で、貫通孔１０ｃに柱状突起３２を挿通すると共に下ケース１１の主壁１１ａの内面に筒体１０ａの開口縁が当接する状態となるように筒体１０ａを伏せて配置し、貫通孔１０ｃから突出する柱状突起３２にプッシュナット３５を装着して収納容器１０を下ケース１１に固定する構成を採用したことにより、筒体１０ａでセキュリティタグ９を完全に覆いつつ、プッシュナット３５を用いて収納容器１０をケース本体２内の一隅Ｃ１に簡単かつ確実に固定することができる。また、プッシュナット３５が内周面に形成された複数の爪による抜け止め機構を備えており、柱状突起３２に一旦装着した後は、これらの爪が柱状突起３２に食い込んだ状態となるため、柱状突起３２から抜くことが困難である。したがって、プッシュナット３５を使用することにより、セキュリティタグ９の取外しを一層防止することができるため、ひいてはセキュリティタグ９の盗難を一層低減することができる。
【００３６】
なお、本発明は、上記の構成に限定されない。例えば、プッシュナット３５を用いて収納容器１０を固定する構成に代えて、図６，７に示すように、貫通孔１０ｃから突出する柱状突起３２の先端部位を電気こてなどで溶融して貫通孔１０ｃの直径よりも拡径させる構成、いわゆる熱かしめを採用して固定することもできる。なお、図１〜５を用いて説明した上記構成と同一の構成については、同一の符号を付して重複する説明を省略する。この構成によれば、プッシュナット３５を不要にできる分だけ、部品点数を削減することができる。
【００３７】
また、上記の構成では、下ケース１１にセキュリティタグ９を固定しているが、上ケース１２にセキュリティタグ９を固定する構成を採用することもできる。一例として、図８，９，１０に示す構成では、図８に示すように、上ケース１２の区画領域Ｂ２内における主壁１２ａの表面に突出部３３が形成され、さらに突出部３３の先端面に柱状突起３２が形成されている。収納容器１０は、筒体１０ａ内にセキュリティタグ９が収納された状態で、図９に示すように、柱状突起３２が貫通孔１０ｃに挿通され、筒体１０ａの開口縁が上ケース１２の主壁１２ａの内面に当接し、かつ筒体１０ａが側壁１２ｄおよび区画壁１２ｊ（弧状壁１２ｈの中途部位から側壁１２ｃ側に向けて延出するように主壁１２ａの内面に突設された壁）に接触した状態で区画領域Ｂ２に配置されている。また、収納容器１０は、一例として図９，１０に示すように、貫通孔１０ｃから突出する柱状突起３２の先端部位を溶融して貫通孔１０ｃの直径よりも拡径させる方法（熱かしめ方法）で固定されている。なお、熱かしめ方法に代えて、プッシュナット３５を柱状突起３２に装着して固定する方法を採用することもできる。
【００３８】
この構成により、セキュリティタグ９は、ケース本体２内の四隅のうちの一隅Ｃ２（図１，８，９，１０参照）、具体的には、ケース本体２における下ケース１１の区画領域Ａ２と上ケース１２の区画領域Ｂ２とで構成される空間である一隅Ｃ２に、収納容器１０に収納され、かつ収納容器１０で覆われた状態で固定されている。このように、上ケース１２に固定する構成においても、収納容器１０を使用してセキュリティタグ９を固定することにより、上記した下ケース１１に固定する構成と同様の効果を奏することができる。
【００３９】
また、上記の各構成では、筒体１０ａおよび１つの鍔体１０ｂを備えて収納容器１０を構成し、かつ下ケース１１および上ケース１２のいずれかに収納容器１０を固定するための柱状突起３２を１つ形成して、プッシュナット３５や熱かしめによって収納容器１０を下ケース１１および上ケース１２のいずれかに固定しているが、鍔体１０ｂおよび柱状突起３２の数は１つに限定されず、複数設けることもできる。また、逆に、図１１に示すように、鍔体１０ｂおよび柱状突起３２を設けない構成を採用することもできる。
【００４０】
図１１に示す構成では、収納容器１０における筒体だけで形成された収納容器４０を使用して、セキュリティタグ９を収納容器４０に収納した状態で、収納容器４０の開口縁を下ケース１１および上ケース１２のいずれかの主壁（同図では一例として下ケース１１の主壁１１ａ）の内面に直接的に固着する。この場合、固着方法としては、接着剤で接着する方法や、超音波振動と圧力とを加えることによって収納容器４０の開口縁および各ケース１１，１２のいずれかの主壁を溶融して接合する超音波溶着法を採用することができる。ただし、接着剤による方法では、接着剤の供給量のコントロールが難しく、また完全に接着するまでの時間が長いといった問題点があるため、超音波溶着法を採用するのが好ましい。この構成によれば、柱状突起３２や突出部３３の形成を不要にできるため、下ケース１１および上ケース１２を簡易に構成することができる。また、鍔体１０ｂの形成が不要な分だけ収納容器４０を収納容器１０よりも簡易に構成することができる。したがって、ケース本体２の製造コストおよび収納容器４０の製造コストを低減することができる。また、セキュリティタグ９を収納する収納容器４０自体を、下ケース１１および上ケース１２のいずれかに直接的に接合できるため、ケース本体２からのセキュリティタグ９の取り出しをより一層確実に防止することができる。
【図面の簡単な説明】
【００４１】
【図１】テープカートリッジ１の分解斜視図である。
【図２】下ケース１１の平面図である。
【図３】上ケース１２の斜視図である。
【図４】下ケース１１における区画領域Ａ３部分の拡大図である。
【図５】図４で示されるＸ−Ｘ線でのテープカートリッジ１の断面図である（セキュリティタグ９は非断面）。
【図６】下ケース１１の他の例における区画領域Ａ３部分の拡大図である。
【図７】図６で示されるＹ−Ｙ線でのテープカートリッジ１の断面図である（セキュリティタグ９は非断面）。
【図８】上ケース１２の他の例における平面図である。
【図９】図８における区画領域Ｂ２部分のセキュリティタグ９を固定した状態の拡大図である。
【図１０】図９で示されるＺ−Ｚ線での他のテープカートリッジ１の断面図である（セキュリティタグ９は非断面）。
【図１１】収納容器４０を用いたセキュリティタグ９の取付け構造を説明するためのテープカートリッジ１の一隅Ｃ１の断面図である。
【符号の説明】
【００４２】
１  テープカートリッジ
２  ケース本体
３  テープリール
９  セキュリティタグ
１０，４０  収納容器
１０ａ  筒体
１０ｂ  鍔体
１０ｃ  貫通孔
１１  下ケース
１１ａ  下ケースの主壁
１２  上ケース
１２ａ  上ケースの主壁
３２  柱状突起
３５  プッシュナット
【図１】
2008090942.tif 000003
【図２】
2008090942.tif 000004
【図３】
2008090942.tif 000005
【図４】
2008090942.tif 000006
【図５】
2008090942.tif 000007
【図６】
2008090942.tif 000008
【図７】
2008090942.tif 000009
【図８】
2008090942.tif 000010
【図９】
2008090942.tif 000011
【図１０】
2008090942.tif 000012
【図１１】
2008090942.tif 000013